【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
流体が流入する流入口と、前記流体が流出する流出口と、着脱可能なキャップが装着されるキャップ装着用開口部とが形成されたフィルターケースと、
前記流体中の夾雑物を濾過するために、前記フィルターケースの内部に前記キャップ装着用開口部から着脱可能に配されるフィルター体とを備え、
前記キャップにフィルター体を設け、前記キャップ装着用開口部に前記キャップを回転させて、適切な装着状態にすることで前記キャップ装着用開口部からの漏水を防止するフィルター装置を備えた洗濯機において、
前記キャップの装着状態が適切か否かを検知するキャップ装着検知スイッチと、前記キャップ装着検知スイッチのＯＮ／ＯＦＦを切換えるスイッチ部材を設け、前記スイッチ部材は、前記キャップの回転とともに回動することを特徴とする洗濯機。
【請求項２】
前記スイッチ部材を前記キャップの周縁部に設けたことを特徴とする請求項１に記載の洗濯機。
【請求項３】
前記キャップ装着検知スイッチを前記キャップ装着用開口部周辺に設けたことを特徴とする請求項１または請求項２に記載の洗濯機。
【請求項４】
前記キャップを適切な装着状態まで回転させることにより、前記スイッチ部材と前記キャップ装着検知スイッチとが対向して、前記キャップ装着検知スイッチのＯＮ／ＯＦＦを切換えることを特徴とする請求項１から請求項３のいずれか１項に記載の洗濯機。
【請求項５】
前記スイッチ部材は磁性体とするとともに、前記キャップ装着検知スイッチをリードスイッチとすることを特徴とする請求項１から請求項４のいずれか１項に記載の洗濯機。
【請求項６】
流体が流入する流入口と、前記流体が流出する流出口と、着脱可能なキャップが装着されるキャップ装着用開口部とが形成されたフィルターケースと、
前記流体中の夾雑物を濾過するために、前記フィルターケースの内部に前記キャップ装着用開口部から着脱可能に配されるフィルター体とを備え、
前記キャップにフィルター体を設け、前記キャップ装着用開口部に前記キャップを回転させて、適切な装着状態にすることで前記キャップ装着用開口部からの漏水を防止するフィルター装置を備えた洗濯機において、
前記キャップの装着状態が適切であるときにＯＮ／ＯＦＦの切換えがされるキャップ装着検知スイッチと、前記キャップ装着検知スイッチのＯＮ／ＯＦＦを切換えるスイッチ部材とを有し、前記キャップ装着検知スイッチを接点スイッチ、前記スイッチ部材を突起部にて構成したことを特徴とする洗濯機。
【請求項７】
前記接点スイッチは洗濯機本体内に配され、前記突起部による前記接点スイッチのＯＮ／ＯＦＦの切換えは前記キャップ装着用開口部周辺に設けられた孔部を介してなされることを特徴とする請求項６に記載の洗濯機。
【請求項８】
前記接点スイッチを前記キャップ装着用開口部の上方に設けたことを特徴とする請求項６または請求項７に記載の洗濯機。
【請求項９】
前記キャップ装着検知スイッチによって前記キャップの装着状態が適切であると検知されなければ、運転を開始できないように制御することを特徴とする請求項１から請求項８のいずれか１項に記載の洗濯機。
【手続補正２】
【補正対象書類名】明細書
【補正対象項目名】０００７
【補正方法】変更
【補正の内容】
【０００７】
外箱１内の上部には水道管に連通する給水パイプ１２が配されている。給水パイプ１２の途中に設けた給水弁１３を開くと、洗剤ケース１４を介してパッキン１０に取り付けられた給水ノズル１５から水槽４内に給水される。
【手続補正３】
【補正対象書類名】明細書
【補正対象項目名】００１１
【補正方法】変更
【補正の内容】
【００１１】
フィルター装置１７は図１８、図１９の斜視図及び断面図に示すようになっている。また、図２０はフィルターケース３４の断面図である。筒状のフィルターケース３４の前部には、段差部３４ｇを有して拡径された拡径部４７が設けられている。拡径部４７にはネジ部３７が形成され、ネジ部３７によりキャップ３５が締着されてフィルターケース３４の前面が塞がれている。
【手続補正４】
【補正対象書類名】明細書
【補正対象項目名】００１５
【補正方法】変更
【補正の内容】
【００１５】
図１９において、フィルターケース３４の周面には洗濯水が流入する流入口３８が設けられ、後部には洗濯水が流出する流出口３９が設けらている。流入口３８の内径はフィルターケース３４の内径よりも小さくなっている。これにより、流入口３８を通過できる大きさの夾雑物はフィルターケース３４への入り口を閉塞することなくフィルターケース３４内に流入することができる。また、フィルター体３６の鍔部５４は流出口３９に面して配され、開口部５４ａと流出口３９とは略同心状になっている。
【手続補正５】
【補正対象書類名】明細書
【補正対象項目名】００１６
【補正方法】変更
【補正の内容】
【００１６】
キャップ３５をフィルターケース３４に締着すると、圧縮バネ４５及びフィルター体３６の前面部４３を介して段差部３４ｇの内壁面にパッキン４２が押しつけられる。これにより、フィルターケース３４が封止され、フィルターケース３４からの漏水を防止する。
【手続補正６】
【補正対象書類名】明細書
【補正対象項目名】００１７
【補正方法】変更
【補正の内容】
【００１７】
段差部３４ｇの内壁面には軸方向に突出する環状の突起部４７ｂが形成されている。これにより、パッキン４２が局部的に圧接されるので漏水防止性能をより向上させることができる。
【手続補正７】
【補正対象書類名】明細書
【補正対象項目名】００２９
【補正方法】変更
【補正の内容】
【００２９】
上記目的を達成するために、本発明の洗濯機は、流体が流入する流入口と、前記流体が流出する流出口と、着脱可能なキャップが装着されるキャップ装着用開口部とが形成されたフィルターケースと、前記流体中の夾雑物を濾過するために、前記フィルターケースの内部に前記キャップ装着用開口部から着脱可能に配されるフィルター体とを備え、前記キャップにフィルター体を設け、前記キャップ装着用開口部に前記キャップを回転させて、適切な装着状態にすることで前記キャップ装着用開口部からの漏水を防止するフィルター装置を備えた洗濯機において、前記キャップの装着状態が適切か否かを検知するキャップ装着検知スイッチと、前記キャップ装着検知スイッチのＯＮ／ＯＦＦを切換えるスイッチ部材を設け、前記スイッチ部材は、前記キャップの回転とともに回動することを特徴とする。また、前記スイッチ部材を前記キャップの周縁部に設けたことを特徴とする。また、前記キャップ装着検知スイッチを前記キャップ装着用開口部周辺に設けたことを特徴とする。また、前記キャップを適切な装着状態まで回転させることにより、前記スイッチ部材と前記キャップ装着検知スイッチとが対向して、前記キャップ装着検知スイッチのＯＮ／ＯＦＦを切換えることを特徴とする。また、前記スイッチ部材は磁性体とするとともに、前記キャップ装着検知スイッチをリードスイッチとすることを特徴とする。
【手続補正８】
【補正対象書類名】明細書
【補正対象項目名】００３０
【補正方法】変更
【補正の内容】
【００３０】
また、本発明の洗濯機は、流体が流入する流入口と、前記流体が流出する流出口と、着脱可能なキャップが装着されるキャップ装着用開口部とが形成されたフィルターケースと、前記流体中の夾雑物を濾過するために、前記フィルターケースの内部に前記キャップ装着用開口部から着脱可能に配されるフィルター体とを備え、前記キャップにフィルター体を設け、前記キャップ装着用開口部に前記キャップを回転させて、適切な装着状態にすることで前記キャップ装着用開口部からの漏水を防止するフィルター装置を備えた洗濯機において、前記キャップの装着状態が適切であるときにＯＮ／ＯＦＦの切換えがされるキャップ装着検知スイッチと、前記キャップ装着検知スイッチのＯＮ／ＯＦＦを切換えるスイッチ部材とを有し、前記キャップ装着検知スイッチを接点スイッチ、前記スイッチ部材を突起部にて構成したことを特徴とする。また、前記接点スイッチは洗濯機本体内に配され、前記突起部による前記接点スイッチのＯＮ／ＯＦＦの切換えは前記キャップ装着用開口部周辺に設けられた孔部を介してなされることを特徴とする。また、前記接点スイッチを前記キャップ装着用開口部の上方に設けたことを特徴とする。また、前記キャップ装着検知スイッチによって前記キャップの装着状態が適切であると検知されなければ、運転を開始できないように制御することを特徴とする。
【手続補正９】
【補正対象書類名】明細書
【補正対象項目名】００３３
【補正方法】変更
【補正の内容】
【００３３】
＜第１の実施形態＞本発明の第１の実施形態について図面を参照して説明する。説明の便宜上、従来例の図１７〜図２１と同一の部分については同一の符号を附している。図１は、本発明に係るフィルター装置を備えたドラム式洗濯機の外観斜視図である。図１において、１はドラム式洗濯機の外箱、１０１は外箱１の前面右下方に形成された開口部を開閉する蓋体である。
【手続補正１０】
【補正対象書類名】明細書
【補正対象項目名】００３６
【補正方法】変更
【補正の内容】
【００３６】
図３は、フィルター装置１７の断面図である。キャップ３５の蓋体１０１側には、カップ状に陥没する陥没部３５１があって、その陥没した略円形の面の中心を通って直径方向に伸びて把持部３５ｂが突設されている。また、外箱１の蓋体１０１のフック１０３に対応する部分には、フック１０３が挿通して係止される係止孔１０４が設けられている。
【手続補正１１】
【補正対象書類名】明細書
【補正対象項目名】００４３
【補正方法】変更
【補正の内容】
【００４３】
図６は、本実施形態の更に他の実施例を示すフィルター装置１７の断面図である。図３と同一の部材には同一の符号を附している。この実施例に特徴的な点は、キャップ３５の周縁部の一箇所に内接して磁性材料から成る磁気片１０９を配設するとともに、フィルターケース３４の拡径部４７の外周面の一箇所にリードスイッチ１０８を配設し、キャップ３５の装着状態が適切である（把持部３５ｂの中心角閨i図４参照）が略９０ーの位置にある）とき、前記磁気片１０９と前記リードスイッチ１０８とが対向することにより前記リードスイッチ１０８がＯＮされるようにしたことである。
【手続補正１２】
【補正対象書類名】明細書
【補正対象項目名】００５４
【補正方法】変更
【補正の内容】
【００５４】
本実施形態に特徴的な構成は、図１１及び図１２に示すように、キャップ３５の周縁部から径方向に突出する突起部３５ｇを設けるとともに、外箱１の係止孔１０４の上方に回動軸１０６によって回動可能に取り付けられバネ１１１によって係止孔１０４の一部を塞ぐ方向に付勢された移動子１０５を設けたことである。尚、ここでは、突起部３５ｇは、把持部３５ｂの延長線上にあるものとし、係止孔１０４は、キャップ３５が適切な位置に装着される時に、前記突起部３５ｇによって開放される位置にあるものとする。
【手続補正１３】
【補正対象書類名】明細書
【補正対象項目名】００５７
【補正方法】変更
【補正の内容】
【００５７】
＜第５の実施形態＞本発明の第５の実施形態について図面を参照して説明する。図１３は本実施態に係るフィルター装置１７の蓋体１０１周辺の部分断面図であり、図１４はそのＤの方向から見た矢視正面図である。図１〜図４の第１の実施形態と同一の部材には同一の符号を附している。
【手続補正１４】
【補正対象書類名】明細書
【補正対象項目名】００５８
【補正方法】変更
【補正の内容】
【００５８】
本実施形態に特徴的な構成は、図１３及び図１４に示すように、キャップ３５の周縁部に凹部３５ｅを設けるとともに、蓋体１０１の背面にフック１０３（図３参照）に替えて磁石体２０１を設け、また、外箱１の磁石体２０１に対応する位置に係止孔１０４（図３参照）に替えてキャップ３５の周縁部によって一部が覆い隠される金属片２０２を設けたことである。尚、ここでは、凹部３５ｅは、把持部３５ｂの延長線上にあるものとし、金属片２０２は、キャップ３５が適切な位置に装着される時に、前記凹部３５ｅによって露出される位置にあるものとする。
【手続補正１５】
【補正対象書類名】明細書
【補正対象項目名】００６２
【補正方法】変更
【補正の内容】
【００６２】
キャップ３５は、拡径部４７のネジ部３７に螺合されるが キャップ３５のネジ込みの回数が多いと、幾度も把持部３５ｂの中心角閨i図４参照）が略９０ーの位置になることになり、ネジ込み不足であるにも関わらず、キャップ３５が正しく装着されたものとみなして、蓋体１０１を閉じてしまう恐れがある。この場合、パッキン４２の圧着が不十分なため、洗濯時に漏水を起こしてしまう。
【手続補正１６】
【補正対象書類名】明細書
【補正対象項目名】００６７
【補正方法】変更
【補正の内容】
【００６７】
１ 外箱
３ 開閉扉
４ 水槽
５ ドラム
９ 駆動機構
１６ａ、１６ｂ 排水ダクト
１７ フィルター装置
１８ 排水ポンプ
１８ａ ポンプ室
１８ｂ インペラ
１８ｃ モータ
１９ ポンプ装置
３３ 排水用パイプ
３４ フィルターケース
３５ キャップ
３５ｂ 把持部
３５ｅ，３５ｆ 凹部
３６ フィルター体
３８ 流入口
３９ 流出口
４２ パッキン
４４ 通気孔
４５ 圧縮バネ
４７ 拡径部
４７ａ 内壁
４７ｂ 突起部
５１ フィルター部
５３ 筒状部
５４ 鍔部
１０１ 蓋体
１０２ リブ
１０３ フック
１０４ 係止孔
１０５ 移動子
１０８ リードスイッチ
１０９ 磁気片
１１０ 凸部
２０１ 磁石体
２０２ 金属片
【手続補正１７】
【補正対象書類名】図面
【補正対象項目名】図１９
【補正方法】変更
【補正の内容】
【図１９】
2005253990.tif 000001